(57)【特許請求の範囲】
【請求項１】
測定機のプローブに取り付けられたスタイラスの着脱と保管を行うスタイラス交換治具であって、
前記スタイラスを収容する前記スタイラスの軸方向の長さより深さが深い貫通した凹部と前記凹部の端部に前記スタイラスの基端部の係合部に係合して前記スタイラスを着脱する溝とが形成されたスタイラス交換治具本体と、
前記スタイラス交換治具本体の前記溝が形成された側に装着される蓋体と
を設けたスタイラス交換治具。
【請求項２】
蓋体のスタイラス交換治具本体の側にスタイラスの動きを規制する凸部を設けた
請求項１記載のスタイラス交換治具。
【発明の詳細な説明】
【０００１】
【発明の属する技術分野】
本発明は表面形状測定、非球面レンズ等の自由曲面の形状測定、面粗さや段差の形状測定などを超高精度に低測定圧で測定する三次元測定機において、プローブの先端に取り付けられているスタイラスを交換する際に使用されるスタイラス交換治具に関するものである。
【０００２】
【従来の技術】
表面形状測定、非球面レンズ等の自由曲面形状測定や表面粗さ測定においては、０．０１μｍ〜０．１μｍオーダーの測定精度が必要となってきており、その測定精度を実現するための原子間力プローブが特開平６−２６５３４０号公報に記載されている。
【０００３】
原子間力プローブのスライド部の先端にはネジ穴が設けられており、そのネジ穴に合致するネジ部を有するスタイラスがネジ止めされている。
そのスタイラスを固定するため、スタイラスには切り欠きが設けられ、その切り欠きに合致する溝を備えたスタイラス交換治具がある。
【０００４】
スタイラス交換治具によって取り外して、このスタイラス交換治具に保持されたスタイラスは、人の指またはピンセットを使用してスタイラス交換治具から取り出して別の保管ケースに移し換えられて、スタイラスに埃が付着することが防止されている。
【０００５】
【発明が解決しようとする課題】
従来のスタイラス交換治具では、スタイラスを保管ケースに移し換える作業中にスタイラスを落としたりしてほこりをつけてしまう等の不便性がある。
【０００６】
また、０．０１μｍ〜０．１μｍオーダーの測定精度が必要な測定機では、使用中のスタイラスの先端にほこり等異物が付着した場合には、測定データにノイズとして現れて測定データの評価を困難にする。そのために測定前にスタイラス先端のほこりは取り除く必要があるが、測定機のエアースライダーにスタイラスが取り付いている状態では、例えば綿棒をスタイラス先端に接触させるとエアースライダーがＺ方向に動き、ほこりが取りにくいという問題がある。
【０００７】
本発明は上記問題点に鑑み、スタイラス着脱だけでなくほこり防止の保管ケースにもなるスタイラス交換治具を提供することを目的とする。
また、スタイラス先端にほこりがついた場合でも容易にほこりをとることができるスタイラス支持治具を提供することを目的とする。
【０００８】
【課題を解決するための手段】
本発明のスタイラス交換治具は、スタイラス着脱の機能を有する治具本体に、蓋を着脱自在に設けたことを特徴とする。
【０００９】
この本発明によると、治具本体で測定機のプローブから取り外されて治具本体に保持されたスタイラスは、この治具本体に蓋を取り付けることによって、保管ケースに移し換えなくても適切な環境で保管できる。
【００１１】
【発明の実施の形態】
請求項１記載のスタイラス交換治具は、測定機のプローブに取り付けられたスタイラスの着脱と保管を行うスタイラス交換治具であって、前記スタイラスを収容する前記スタイラスの軸方向の長さより深さが深い貫通した凹部と前記凹部の端部に前記スタイラスの基端部の係合部に係合して前記スタイラスを着脱する溝とが形成されたスタイラス交換治具本体と、前記スタイラス交換治具本体の前記溝が形成された側に装着される蓋体と
を設けたことを特徴とする。
【００１２】
請求項２記載のスタイラス交換治具は、請求項１において、蓋体のスタイラス交換治具本体の側にスタイラスの動きを規制する凸部を設けたことを特徴とする。
【００１３】
以下、本発明の実施の形態を図１〜図５に基づいて説明する。
（実施の形態１）
図１〜図４は本発明のスタイラス交換治具を示す。
【００１４】
先ず、測定機におけるスタイラスの取り付け状態を具体的に説明する。
図３の（ａ）に示すように、測定機にはプローブ１に対して矢印Ｚ方向に出退が自在なエアースライダー２が設けられており、エアースライダー２の先端に設けられたネジ穴にスタイラス３が取り付けられている。
【００１５】
（実施の形態１）のスタイラス交換治具４は図１と図２に示すように、治具本体４ａとこの治具本体４ａに被せられる蓋体４ｂとで構成されている。治具本体４ａには、スタイラス３の先端部を収容する第１の凹部５が内側に形成され、外周面には蓋体４ｂの雌ネジ部６に螺合する雄ネジ部７が形成されている。さらに、詳しくは、治具本体４ａの先端にはスタイラス３の基端部の係合部８に係合する溝９が形成されている。治具本体４ａの先端側の端面にはエアースライダー２の先端が入り込む第２の凹部１０が形成されている。
【００１６】
このように構成したスタイラス交換治具４は、次のように使用される。
図３の（ｂ）と図４の（ａ）に示すように、治具本体４ａをエアースライダー２に近づけて、スタイラス３の先端が図４の（ｂ）に示すように治具本体４ａの第１の凹部５に入るよう治具本体４ａを持ち上げ、治具本体４ａの溝９をスタイラス３の基端部の係合部８に係合させる。
【００１７】
この状態で治具本体４ａを矢印Ｒ１方向に回転させて、エアースライダー２に対してスタイラス３を回転させて両者の間の螺合を解除し、スタイラス３を図４の（ｃ）に示すように治具本体４ａで保持し、この治具本体４ａに蓋体４ｂを図４の（ｄ）と図３の（ｂ）に示すように被せて、蓋体４ｂの雌ネジ部６を治具本体４ａの雄ネジ部７にねじ込む。
【００１８】
なお、蓋体４ｂの内側には図３の（ｂ）に示すように凸部１１が形成されており、図４の（ｄ）に示すようにスタイラス３を保管した状態ではスタイラス３に接触または近接した位置に凸部１１が位置して、保管中のスタイラス３の動きを規制している。具体的には、凸部１１はウレタンゴムで形成されている。
【００１９】
このように構成したため、治具本体４ａによってエアースライダー２から取り外したスタイラス３を、従来のように保管ケースに移し換えるような作業が必要でなくなる。
【００２０】
（実施の形態２）
図５は本発明のスタイラス支持治具を示す。
スタイラスを治具本体４ａから取り出す際に使用するスタイラス支持治具１２は、図５の（ａ）に示すように先端部にスタイラス３の基端部に螺合するネジ穴１３が形成され、この先端部１４の外形を治具本体４ａの第２の凹部１０の内径よりも小さく形成されている。
【００２１】
清掃に際しては、図５の（ｂ）に示すようにスタイラス支持治具１２の先端を治具本体４ａの第２の凹部１０に挿入して、スタイラス支持治具１２を矢印Ｒ２方向に回転させてスタイラス支持治具１２のネジ穴１３にスタイラス３の基端部の雄ねじ部３ａを螺合させる。
【００２２】
このようにしてスタイラス３がスタイラス支持治具１２のネジ穴１３に螺合した状態で治具本体４ａに対してスタイラス支持治具１２を図５の（ｃ）に示すように持ち上げて、スタイラス３を治具本体４ａから取り出すことができる。
【００２３】
このようにして取り出されたスタイラス３に対して、スタイラス支持治具１２を片手に持ち、他方の手に綿棒またはレンズクリーニングペーパーを持ち、スタイラス先端を拭く。
【００２４】
このようにスタイラス支持治具１２に取り付けた状態でクリーニングすることによって、エアースライダー２に取り付けた状態でクリーニングする場合に比べて、安全確実なクリーニングを期待できる。
【００２５】
【発明の効果】
以上のように本発明のスタイラス交換治具は、治具本体に被せられる蓋体を設けたことによって、スタイラスの取り外しと保管が同時にできるようになり、別の保管ケースに移し換えることなく、スタイラス先端にほこりが付着しない適切な環境下保管することができる。
【図面の簡単な説明】
【図１】本発明の（実施の形態１）のスタイラス交換治具の外観斜視図
【図２】同実施の形態の断面図
【図３】同実施の形態の交換治具の使用状態の説明図
【図４】同実施の形態のスタイラス交換治具の使用状態の工程図
【図５】本発明の（実施の形態２）の支持治具の使用状態の工程図
【符号の説明】
３    スタイラス
４    スタイラス交換治具
４ａ  治具本体
４ｂ  蓋体
５    治具本体の第１の凹部
６    雌ネジ部
７    雄ネジ部
８    スタイラスの基端部の係合部
９    治具本体の溝
１０    治具本体の第２の凹部
１１    スタイラスの凸部
１２    スタイラス支持治具
１３    スタイラス支持治具のネジ穴
【図１】
0004026896.tif 000002
【図２】
0004026896.tif 000003
【図３】
0004026896.tif 000004
【図４】
0004026896.tif 000005
【図５】
0004026896.tif 000006